(57)【要約】【課題】  複数キャリアの信号の隣接チャネル漏洩電力比の測定の労力を軽減する。【解決手段】  複数の周波数（ｆ１＜ｆ２＜ｆ３＜ｆ４）の成分を有するマルチキャリア信号を受け、マルチキャリア信号における端部周波数（ｆ１、ｆ４）成分の電力を測定したものを記録する信号電力記録部５２ａと、マルチキャリア信号における周波数帯域の外部にある周辺チャネルにおける信号の電力を測定したものを記録する漏洩電力記録部５２ｂと、信号電力記録部５２ａおよび漏洩電力記録部５２ｂの記録内容に基づき隣接チャネル漏洩電力比を測定するACLR測定部測定部５４とを備える。【選択図】  図１
2005303671.tif 000002
【特許請求の範囲】
【請求項１】
複数の周波数成分を有するマルチキャリア信号を受け、前記マルチキャリア信号における端部周波数成分の電力を測定する信号電力測定手段と、
前記マルチキャリア信号における周波数帯域の外部にある周辺チャネルにおける信号の電力を測定する漏洩電力測定手段と、
前記信号電力測定手段および前記漏洩電力測定手段の測定結果に基づき隣接チャネル漏洩電力比を測定する隣接チャネル漏洩電力比測定手段と、
を備えた信号測定装置。
【請求項２】
請求項１に記載の信号測定装置であって、
前記マルチキャリア信号における前記端部周波数成分は、前記マルチキャリア信号における最大周波数成分であり、
前記周辺チャネルは、前記マルチキャリア信号における最大周波数成分よりも周波数が大きいチャネルである、
信号測定装置。
【請求項３】
請求項１に記載の信号測定装置であって、
前記マルチキャリア信号における前記端部周波数成分は、前記マルチキャリア信号における最小周波数成分であり、
前記周辺チャネルは、前記マルチキャリア信号における最小周波数成分よりも周波数が小さいチャネルである、
信号測定装置。
【請求項４】
請求項１に記載の信号測定装置であって、
周波数が所定の帯域内において変化するローカル信号を生成するローカル信号生成手段と、
前記ローカル信号に基づき、前記マルチキャリア信号の周波数を低減するダウンコンバータと、
を備え、
前記信号電力測定手段および前記漏洩電力測定手段は、前記ダウンコンバータの出力に基づいて測定を行ない、測定可能な信号の帯域である測定帯域を前記所定の帯域により設定できる、
信号測定装置。
【請求項５】
請求項４に記載の信号測定装置であって、
前記測定帯域は、前記マルチキャリア信号における端部周波数および前記周辺チャネルの周波数を含むものである、
信号測定装置。
【請求項６】
請求項４に記載の信号測定装置であって、
前記測定帯域は、前記マルチキャリア信号における端部周波数あるいは前記周辺チャネルの周波数を含むものである、
信号測定装置。
【請求項７】
請求項６に記載の信号測定装置であって、
前記ダウンコンバータの出力を増幅する増幅器を備え、
前記信号電力測定手段および前記漏洩電力測定手段は、前記増幅器の出力に基づいて測定を行ない、
前記漏洩電力測定手段の測定の際には、前記増幅器のゲインを上げる、
信号測定装置。
【請求項８】
請求項１に記載の信号測定装置であって、
前記周辺チャネルにおける、前記信号測定装置内部の内部ノイズを測定する内部ノイズ測定手段を備え、
前記隣接チャネル漏洩電力比測定手段は、前記信号電力測定手段、前記漏洩電力測定手段および前記内部ノイズ測定手段の測定結果に基づき隣接チャネル漏洩電力比を測定する、
信号測定装置。
【請求項９】
複数の周波数成分を有するマルチキャリア信号を受け、前記マルチキャリア信号における端部周波数成分の電力を測定する信号電力測定工程と、
前記マルチキャリア信号における周波数帯域の外部にある周辺チャネルにおける信号の電力を測定する漏洩電力測定工程と、
前記信号電力測定工程および前記漏洩電力測定工程の測定結果に基づき隣接チャネル漏洩電力比を測定する隣接チャネル漏洩電力比測定工程と、
を備えた信号測定方法。
【請求項１０】
複数の周波数成分を有するマルチキャリア信号における端部周波数成分の電力を測定する信号電力測定処理と、
前記マルチキャリア信号における周波数帯域の外部にある周辺チャネルにおける信号の電力を測定する漏洩電力測定処理と、
前記信号電力測定処理および前記漏洩電力測定処理における測定結果に基づき隣接チャネル漏洩電力比を測定する隣接チャネル漏洩電力比測定処理と、
をコンピュータに実行させるためのプログラム。
【請求項１１】
複数の周波数成分を有するマルチキャリア信号における端部周波数成分の電力を測定する信号電力測定処理と、
前記マルチキャリア信号における周波数帯域の外部にある周辺チャネルにおける信号の電力を測定する漏洩電力測定処理と、
前記信号電力測定処理および前記漏洩電力測定処理における測定結果に基づき隣接チャネル漏洩電力比を測定する隣接チャネル漏洩電力比測定処理と、
をコンピュータに実行させるためのプログラムを記録したコンピュータによって読み取り可能な記録媒体。
【発明の詳細な説明】
【技術分野】
【０００１】
本発明は、チャネル電力の測定に関する。
【背景技術】
【０００２】
従来より、W-CDMA方式などにおいて、隣接チャネル漏洩電力比（ACLR: Adjacent Channel
Leakage Power Ratio）を測定することが行われている。なお、隣接チャネル漏洩電力比とは中心チャネルの電力と、所定の隣接チャネルの電力との比である。通常は、隣接チャネル漏洩電力比を、所定の帯域内の電力同士の比として定義している。隣接チャネル漏洩電力比の測定に関しては、例えば特許文献１に記載がある。
【０００３】
【特許文献１】特開２００２−３１９９０８号公報
【発明の開示】
【発明が解決しようとする課題】
【０００４】
しかしながら、上記のような方法は、１キャリアの信号について適応したものであるものの、複数キャリアの信号には必ずしも適応していない。例えば、４キャリアの信号を一つの増幅器により増幅し、増幅された信号の隣接チャネル漏洩電力比を測定しようとしたとする。この場合、上記のような方法によれば、４キャリアの信号の電力と、４キャリアの信号に隣接する隣接チャネルの電力とを測定しなければならない。４キャリアの信号の電力を測定することは手間がかかる。
【０００５】
そこで、本発明は、複数キャリアの信号の隣接チャネル漏洩電力比の測定の労力を軽減することを課題とする。
【課題を解決するための手段】
【０００６】
本発明は、複数の周波数成分を有するマルチキャリア信号を受け、マルチキャリア信号における端部周波数成分の電力を測定する信号電力測定手段と、マルチキャリア信号における周波数帯域の外部にある周辺チャネルにおける信号の電力を測定する漏洩電力測定手段と、信号電力測定手段および漏洩電力測定手段の測定結果に基づき隣接チャネル漏洩電力比を測定する隣接チャネル漏洩電力比測定手段とを備えるように構成される。
【０００７】
上記のように構成された発明によれば、信号電力測定手段は、複数の周波数成分を有するマルチキャリア信号を受け、マルチキャリア信号における端部周波数成分の電力を測定する。漏洩電力測定手段は、マルチキャリア信号における周波数帯域の外部にある周辺チャネルにおける信号の電力を測定する。隣接チャネル漏洩電力比測定手段は、信号電力測定手段および漏洩電力測定手段の測定結果に基づき隣接チャネル漏洩電力比を測定する。
【０００８】
また、本発明は、マルチキャリア信号における端部周波数成分は、マルチキャリア信号における最大周波数成分であり、周辺チャネルは、マルチキャリア信号における最大周波数成分よりも周波数が大きいチャネルであるように構成される。
【０００９】
また、本発明は、マルチキャリア信号における端部周波数成分は、マルチキャリア信号における最小周波数成分であり、周辺チャネルは、マルチキャリア信号における最小周波数成分よりも周波数が小さいチャネルであるように構成される。
【００１０】
また、本発明は、周波数が所定の帯域内において変化するローカル信号を生成するローカル信号生成手段と、ローカル信号に基づき、マルチキャリア信号の周波数を低減するダウンコンバータとを備え、信号電力測定手段および漏洩電力測定手段は、ダウンコンバータの出力に基づいて測定を行ない、測定可能な信号の帯域である測定帯域を所定の帯域により設定できるように構成される。
【００１１】
また、本発明は、測定帯域は、マルチキャリア信号における端部周波数および周辺チャネルの周波数を含むものであるように構成される。
【００１２】
また、本発明は、測定帯域は、マルチキャリア信号における端部周波数あるいは周辺チャネルの周波数を含むものであるように構成される。
【００１３】
また、本発明は、ダウンコンバータの出力を増幅する増幅器を備え、信号電力測定手段および漏洩電力測定手段は、増幅器の出力に基づいて測定を行ない、漏洩電力測定手段の測定の際には、増幅器のゲインを上げるように構成される。
【００１４】
また、本発明は、周辺チャネルにおける、信号測定装置内部の内部ノイズを測定する内部ノイズ測定手段を備え、隣接チャネル漏洩電力比測定手段は、信号電力測定手段、漏洩電力測定手段および内部ノイズ測定手段の測定結果に基づき隣接チャネル漏洩電力比を測定するように構成される。
【００１５】
本発明は、複数の周波数成分を有するマルチキャリア信号を受け、マルチキャリア信号における端部周波数成分の電力を測定する信号電力測定工程と、マルチキャリア信号における周波数帯域の外部にある周辺チャネルにおける信号の電力を測定する漏洩電力測定工程と、信号電力測定工程および漏洩電力測定工程の測定結果に基づき隣接チャネル漏洩電力比を測定する隣接チャネル漏洩電力比測定工程とを備えるように構成される。
【００１６】
本発明は、複数の周波数成分を有するマルチキャリア信号における端部周波数成分の電力を測定する信号電力測定処理と、マルチキャリア信号における周波数帯域の外部にある周辺チャネルにおける信号の電力を測定する漏洩電力測定処理と、信号電力測定処理および漏洩電力測定処理における測定結果に基づき隣接チャネル漏洩電力比を測定する隣接チャネル漏洩電力比測定処理とをコンピュータに実行させるためのプログラムである。
【００１７】
本発明は、複数の周波数成分を有するマルチキャリア信号における端部周波数成分の電力を測定する信号電力測定処理と、マルチキャリア信号における周波数帯域の外部にある周辺チャネルにおける信号の電力を測定する漏洩電力測定処理と、信号電力測定処理および漏洩電力測定処理における測定結果に基づき隣接チャネル漏洩電力比を測定する隣接チャネル漏洩電力比測定処理とをコンピュータに実行させるためのプログラムを記録したコンピュータによって読み取り可能な記録媒体である。
【発明を実施するための最良の形態】
【００１８】
以下、本発明の実施形態を図面を参照しながら説明する。
【００１９】
第一の実施形態
図１は、第一の実施形態にかかる信号測定装置（スペクトラムアナライザ）１の構成を示すブロック図である。信号測定装置１は、減衰器（アッテネータ）１０、ローカル発振器１２、混合器（ダウンコンバータ）１４、可変アンプ１６、バンドパスフィルタ（BPF）１８、ログ変換器２０、検波器２２、電力測定部２４、キャリア周波数取得部３０、掃引指示部３２、表示部４０、測定電力識別部５０、信号電力記録部５２ａ、漏洩電力記録部５２ｂ、内部ノイズ記録部５２ｃおよびACLR測定部５４を備える。
【００２０】
減衰器（アッテネータ）１０は、受信信号（ＲＦ：Radio
Frequency）を減衰させて出力する。減衰の程度は、受信信号が混合器１４に全く入らない程度（例えば、100dB減衰させる）、あるいは受信信号が混合器１４により歪まない程度にすることができる。
【００２１】
図２に、受信信号の一例を示す。受信信号は、複数の周波数成分を有するマルチキャリア信号１００である。マルチキャリア信号１００は、４キャリアを有する。すなわち、周波数ｆ１、ｆ２、ｆ３、ｆ４の成分の信号を有する。ただし、ｆ１＜ｆ２＜ｆ３＜ｆ４である。周波数ｆ１、ｆ２、ｆ３、ｆ４の成分の信号は、周波数方向に幅があり、その幅はチャネル幅Ｗ＝ｆ４−ｆ３＝ｆ３−ｆ２＝ｆ２−ｆ１以下である。なお、周波数ｆ１、ｆ２、ｆ３、ｆ４の最大値ｆ４および最小値ｆ１を端部周波数という。
【００２２】
なお、受信信号は、本来はマルチキャリア信号１００だけであるが、マルチキャリア信号１００の周波数帯域の外部の周辺チャネル２００Ｕ、２００Ｌにも電力が漏洩してしまう。周辺チャネル２００Ｕは、２キャリアを有する。すなわち、周波数ｆ１Ｕ、ｆ２Ｕの成分の信号を有する。ただし、ｆ２Ｕ−ｆ１Ｕ＝ｆ１Ｕ−ｆ４であり、ｆ２Ｕ＞ｆ１Ｕ＞ｆ４である。周辺チャネル２００Ｌは、２キャリアを有する。すなわち、周波数ｆ１Ｌ、ｆ２Ｌの成分の信号を有する。ただし、ｆ１Ｌ−ｆ２Ｌ＝ｆ１−ｆ１Ｌであり、ｆ１＞ｆ１Ｌ＞ｆ２Ｌである。
【００２３】
ここで、周辺チャネル２００Ｕ、２００Ｌには、マルチキャリア信号１００の電力の一部が漏洩したものであるので、周辺チャネル２００Ｕ、２００Ｌの電力は、マルチキャリア信号１００の電力よりもかなり小さい。
【００２４】
ローカル発振器１２は、ローカル信号を発生する。ローカル信号の周波数は、所定の掃引帯域内において変化（掃引という）する。
【００２５】
混合器（ダウンコンバータ）１４は、ローカル発振器１２から出力されるローカル信号と、減衰器１０から与えられた減衰済みの受信信号とを乗算することにより、混合する。これにより、受信信号の周波数と、ローカル信号の周波数との差分の周波数を有する中間周波数（ＩＦ：Intermediate Frequency）信号を出力する。この中間周波数は一定である。
【００２６】
可変アンプ１６は、混合器１４の出力を増幅するアンプである。なお、可変アンプ１６のゲインは変更することができる。
【００２７】
バンドパスフィルタ（BPF）１８は、可変アンプ１６から所定の帯域の成分を取り出すためのフィルタである。
【００２８】
ログ変換器２０は、バンドパスフィルタ１８の出力をlog変換する。
【００２９】
検波器２２は、ログ変換器２０の出力を検波する。
【００３０】
電力測定部２４は、検波器２２の出力に基づき、電力を測定する。
【００３１】
キャリア周波数取得部３０は、マルチキャリア信号１００の４キャリアの周波数ｆ１、ｆ２、ｆ３、ｆ４を取得する。取得にあたっては、ユーザがｆ１、ｆ２、ｆ３、ｆ４の周波数を設定する。
【００３２】
掃引指示部３２は、ローカル信号の周波数を、所定の帯域内において掃引する。所定の帯域とは、受信信号（ＲＦ信号）が、周波数ｆ４、ｆ１Ｕ、ｆ２Ｕの成分を含む３Ｗの帯域、および周波数ｆ１、ｆ１Ｌ、ｆ２Ｌの成分を含む３Ｗの帯域の内にあるときに、受信信号（ＲＦ信号）とローカル信号の周波数との差分が一定の中間周波数となるような帯域である。具体的には、周波数ｆ４、ｆ１Ｕ、ｆ２Ｕの成分を含む３Ｗの帯域、および周波数ｆ１、ｆ１Ｌ、ｆ２Ｌの成分を含む３Ｗの帯域から一定の中間周波数を引いた帯域を、所定の帯域とすればよい。このようにローカル信号の周波数を掃引することにより、周波数ｆ４、ｆ１Ｕ、ｆ２Ｕの成分を含む３Ｗの帯域内の受信信号、および周波数ｆ１、ｆ１Ｌ、ｆ２Ｌの成分を含む３Ｗの帯域内の受信信号の測定が可能である。すなわち、（１）周波数ｆ４、ｆ１Ｕ、ｆ２Ｕの成分を含む３Ｗの帯域、（２）周波数ｆ１、ｆ１Ｌ、ｆ２Ｌの成分を含む３Ｗの帯域、が測定可能な信号の帯域である測定帯域となる。測定帯域は、上記のように、ローカル信号の周波数を掃引する帯域により設定可能である。
【００３３】
なお、（１）周波数ｆ４、ｆ１Ｕ、ｆ２Ｕの成分を含む３Ｗの帯域の測定は、中心周波数をｆ４として行なう。ただし、ｆ２、ｆ３の成分のチャネルの帯域（幅の合計２Ｗ）については測定しない。周波数ｆ４は、マルチキャリア信号１００における周波数成分であって最大の周波数を有する最大周波数成分の周波数である。周波数ｆ１Ｕ、ｆ２Ｕは、周波数ｆ４よりも大きく、周辺チャネル２００Ｕの周波数成分の有する周波数である。このように、測定帯域は、端部周波数ｆ４および周辺チャネル２００Ｕの周波数ｆ１Ｕ、ｆ２Ｕを含むものである。
【００３４】
また、（２）周波数ｆ１、ｆ１Ｌ、ｆ２Ｌの成分を含む３Ｗの帯域の測定は、中心周波数をｆ１として行なう。ただし、ｆ２、ｆ３の成分のチャネルの帯域（幅の合計２Ｗ）については測定しない。周波数ｆ１は、マルチキャリア信号１００における周波数成分であって最小の周波数を有する最小周波数成分の周波数である。周波数ｆ１Ｌ、ｆ２Ｌは、周波数ｆ１よりも小さく、周辺チャネル２００Ｌの周波数成分の有する周波数である。このように、測定帯域は、端部周波数ｆ１および周辺チャネル２００Ｌの周波数ｆ１Ｌ、ｆ２Ｌを含むものである。
【００３５】
表示部４０は、電力測定部２４の測定結果を、周波数と対応付けて表示する。表示部４０の表示内容の一例を図３に示す。図３（ａ）は、（１）周波数ｆ４、ｆ１Ｕ、ｆ２Ｕの成分を含む３Ｗの帯域を測定した場合の電力の測定結果を示す。測定の中心周波数をｆ４とするので、本来、ｆ２、ｆ３の成分のチャネルの電力も測定されるはずである。しかし、上記のようにｆ２、ｆ３の成分のチャネルの帯域（幅の合計２Ｗ）については測定しないため、ｆ２、ｆ３の成分のチャネルの電力は測定されない。図３（ｂ）は、（２）周波数ｆ１、ｆ１Ｌ、ｆ２Ｌの成分を含む３Ｗの帯域を測定した場合の電力の測定結果を示す。測定の中心周波数をｆ１とするので、本来、ｆ２、ｆ３の成分のチャネルの電力も測定されるはずである。しかし、上記のようにｆ２、ｆ３の成分のチャネルの帯域（幅の合計２Ｗ）については測定しないため、ｆ２、ｆ３の成分のチャネルの電力は測定されない。
【００３６】
なお、周辺チャネル２００Ｕ、２００Ｌの成分の電力の測定結果には、信号測定装置１内部のノイズが含まれている。また、周辺チャネル２００Ｕ、２００Ｌの成分の電力の真の値は、内部のノイズと同程度のレベルである。よって、周辺チャネル２００Ｕ、２００Ｌの成分の電力の測定結果から、信号測定装置１内部のノイズを減じることが、周辺チャネル２００Ｕ、２００Ｌの成分の電力の真の値を求めるためには好ましい。
【００３７】
信号測定装置１の内部ノイズは、減衰器１０の減衰の程度を、受信信号が混合器１４に全く入らない程度（例えば、100dB減衰させる）にすることで測定できる。ただし、測定帯域を、（３）周波数ｆ１Ｕ、ｆ２Ｕの成分を含む２Ｗの帯域、および（４）周波数ｆ１Ｌ、ｆ２Ｌの成分を含む２Ｗの帯域とする。測定帯域は、ローカル信号の周波数を掃引する帯域を適宜、設定することにより設定できる。なお、（３）周波数ｆ１Ｕ、ｆ２Ｕの成分を含む２Ｗの帯域の測定は、中心周波数をｆ４として行なう。ただし、ｆ２、ｆ３、ｆ４の成分のチャネルの帯域（幅の合計３Ｗ）については測定しない。また、（４）周波数ｆ１Ｌ、ｆ２Ｌの成分を含む２Ｗの帯域の測定は、中心周波数をｆ１として行なう。ただし、ｆ１、ｆ２、ｆ３の成分のチャネルの帯域（幅の合計３Ｗ）については測定しない。
【００３８】
内部ノイズの測定結果もあわせて表示した場合の表示部４０の表示内容の一例を図４に示す。図４（ａ）には、周波数ｆ１Ｕ、ｆ２Ｕの成分の内部ノイズが表示されている。図４（ｂ）には、周波数ｆ１Ｌ、ｆ２Ｌの成分の内部ノイズが表示されている。
【００３９】
測定電力識別部５０は、電力測定部２４の測定結果を受ける。しかも、測定電力識別部５０は、掃引指示部３２から、ローカル信号の周波数を取得する。これにより、測定電力識別部５０は、電力測定部２４の測定結果が、いずれの周波数成分に対応するかを識別する。なお、掃引指示部３２から受けたローカル信号の周波数に、中間周波数を加えれば、電力の測定対象となっている受信信号の周波数がわかる。
【００４０】
掃引指示部３２から得たローカル信号の周波数から、（１）周波数ｆ４、ｆ１Ｕ、ｆ２Ｕの成分を含む３Ｗの帯域、あるいは（２）周波数ｆ１、ｆ１Ｌ、ｆ２Ｌの成分を含む３Ｗの帯域を測定しているということが、測定電力識別部５０により識別されたとする。ここで、周波数ｆ４あるいはｆ１のチャネルを測定しているならば、電力測定部２４の測定結果が、マルチキャリア信号１００における端部周波数成分の電力に対応する。この場合、電力測定部２４の測定結果を、信号電力記録部５２ａに書き込む。あるいは、周波数ｆ１Ｕ、ｆ２Ｕ、ｆ１Ｌ、ｆ２Ｌのチャネルを測定しているならば、電力測定部２４の測定結果が、周辺チャネル２００Ｕあるいは周辺チャネル２００Ｌにおける信号の電力に対応する。この場合、電力測定部２４の測定結果を、漏洩電力記録部５２ｂに書き込む。
【００４１】
または、掃引指示部３２から得たローカル信号の周波数から、（３）周波数ｆ１Ｕ、ｆ２Ｕの成分を含む２Ｗの帯域、および（４）周波数ｆ１Ｌ、ｆ２Ｌの成分を含む２Ｗの帯域を測定しているということが、測定電力識別部５０により識別されたとする。この場合、電力測定部２４の測定結果が、内部ノイズの電力に対応する。この場合、電力測定部２４の測定結果を、内部ノイズ記録部５２ｃに書き込む。
【００４２】
信号電力記録部５２ａは、マルチキャリア信号１００における端部周波数ｆ４、ｆ１の成分の電力を記録する。電力測定部２４および信号電力記録部５２ａにより信号電力測定手段が構成される。なお、マルチキャリア信号１００における端部周波数ｆ４の成分の電力をP(f4)、端部周波数ｆ１の成分の電力をP(f1)とする。
【００４３】
漏洩電力記録部５２ｂは、周辺チャネル２００Ｕにおける周波数ｆ１Ｕ、ｆ２Ｕの成分の電力を記録する。また、漏洩電力記録部５２ｂは、周辺チャネル２００Ｌにおける周波数ｆ１Ｌ、ｆ２Ｌの成分の電力を記録する。電力測定部２４および漏洩電力記録部５２ｂにより漏洩電力測定手段が構成される。なお、周辺チャネル２００Ｕにおける周波数ｆ１Ｕの成分の電力をP(f1U)、周波数ｆ２Ｕの成分の電力をP(f2U)とする。また、周辺チャネル２００Ｌにおける周波数ｆ１Ｌの成分の電力をP(f1L)、周波数ｆ２Ｌの成分の電力をP(f2L)とする。
【００４４】
内部ノイズ記録部５２ｃは、周辺チャネル２００Ｕにおける周波数ｆ１Ｕ、ｆ２Ｕの成分の内部ノイズ電力を記録する。また、漏洩電力記録部５２ｂは、周辺チャネル２００Ｌにおける周波数ｆ１Ｌ、ｆ２Ｌの成分の内部ノイズ電力を記録する。電力測定部２４および内部ノイズ記録部５２ｃにより内部ノイズ測定手段が構成される。なお、周辺チャネル２００Ｕにおける周波数ｆ１Ｕの成分の内部ノイズ電力をP(f1U)noise、周波数ｆ２Ｕの成分の内部ノイズ電力をP(f2U)noiseとする。また、周辺チャネル２００Ｌにおける周波数ｆ１Ｌの成分の内部ノイズ電力をP(f1L)noise、周波数ｆ２Ｌの成分の内部ノイズ電力をP(f2L)noiseとする。
【００４５】
ACLR測定部５４は、信号電力測定手段の測定結果P(f4)、P(f1)および漏洩電力測定手段の測定結果P(f1U)、P(f2U)、P(f1L)、P(f2L)に基づき、隣接チャネル漏洩電力比（ACLR: Adjacent Channel Leakage Power Ratio）を測定する。ただし、内部ノイズ電力を測定した場合は、さらに、内部ノイズ測定手段の測定結果P(f1U)noise、P(f2U)noise、P(f1L)noise、P(f2L)noiseに基づき、隣接チャネル漏洩電力比を測定する。
【００４６】
具体的には、ACLRは、周辺チャネル２００Ｕについては、P(f1U)／P(f4)、P(f2U)／P(f4)となる。周辺チャネル２００Ｌについては、P(f1L)／P(f1)、P(f2L)／P(f1)となる。ただし、内部ノイズ電力を考慮した場合は、周辺チャネル２００Ｕについては、(P(f1U)−P(f1U)noise)／P(f4)、(P(f2U)−P(f2U)noise)／P(f4)となる。周辺チャネル２００Ｌについては、(P(f1L)−P(f1L)noise)／P(f1)、(P(f2L)−P(f2L)noise)／P(f1)となる。
【００４７】
次に、第一の実施形態の動作を説明する。
【００４８】
図５は、信号測定装置１の動作を示すフローチャートである。まず、キャリア周波数取得部３０が、マルチキャリア信号１００の４キャリアの周波数ｆ１、ｆ２、ｆ３、ｆ４を取得する（Ｓ１０）。
【００４９】
次に、掃引指示部３２によりローカル信号の周波数を掃引する帯域を指示して、（３）周波数ｆ１Ｕ、ｆ２Ｕの成分を含む２Ｗの帯域、および（４）周波数ｆ１Ｌ、ｆ２Ｌの成分を含む２Ｗの帯域を、測定帯域とする。そして、減衰器１０の減衰の程度を、受信信号が混合器１４に全く入らない程度（例えば、100dB減衰させる）とする。このようにして、混合器１４から出力された信号を、可変アンプ１６、バンドパスフィルタ（BPF）１８、ログ変換器２０および検波器２２を介して、電力測定部２４が受け、電力を測定する。測定結果は、測定電力識別部５０に送られる。また、掃引指示部３２から得たローカル信号の周波数から、（３）周波数ｆ１Ｕ、ｆ２Ｕの成分を含む２Ｗの帯域、および（４）周波数ｆ１Ｌ、ｆ２Ｌの成分を含む２Ｗの帯域を測定しているということが、測定電力識別部５０により識別される。よって、電力測定部２４の測定結果P(f1U)noise、P(f2U)noise、P(f1L)noise、P(f2L)noiseは、内部ノイズ記録部５２ｃに書き込まれる（Ｓ１２）。
【００５０】
次に、周辺チャネル２００ＵについてACLRが測定される（Ｓ２０）。周辺チャネル２００ＵについてのACLRの測定の手順を図６のフローチャートを参照して説明する。
【００５１】
まず、測定帯域の幅は３Ｗとする（Ｓ２０２）。そして、測定帯域の中心周波数をｆ４とする（Ｓ２０４）。ここまでは、掃引指示部３２が、キャリア周波数取得部３０からキャリアの周波数を取得し、適宜、ローカル信号の周波数を掃引する帯域を指示することにより行なえる。具体的には、周波数ｆ４、ｆ１Ｕ、ｆ２Ｕの成分を含む３Ｗの帯域から、中間周波数を減じれば、ローカル信号の周波数を掃引する帯域となる。
【００５２】
そして、減衰器１０の減衰の程度を、受信信号が混合器１４により歪まない程度とする。受信信号は、減衰器１０により減衰されてから、混合器１４により、ローカル発振器１２から出力されるローカル信号と混合される。このようにして、混合器１４から出力された信号を、可変アンプ１６、バンドパスフィルタ（BPF）１８、ログ変換器２０および検波器２２を介して、電力測定部２４が受け、電力を測定する。
【００５３】
測定結果は、測定電力識別部５０に送られる。また、掃引指示部３２から得たローカル信号の周波数から、（１）周波数ｆ４、ｆ１Ｕ、ｆ２Ｕの成分を含む３Ｗの帯域を測定しているということが、測定電力識別部５０により識別される。よって、電力測定部２４の測定結果P(f4)は信号電力記録部５２ａに、電力測定部２４の測定結果P(f1U)、P(f2U)は漏洩電力記録部５２ｂに書き込まれる（Ｓ２０６）。
【００５４】
ACLR測定部５４は、信号電力測定手段の測定結果P(f4)、漏洩電力測定手段の測定結果P(f1U)、P(f2U)および内部ノイズ測定手段の測定結果P(f1U)noise、P(f2U)noiseに基づき、隣接チャネル漏洩電力比を測定する（Ｓ２０８）。
【００５５】
具体的には、ACLRは、(P(f1U)−P(f1U)noise)／P(f4)、(P(f2U)−P(f2U)noise)／P(f4)となる。
【００５６】
次に、図５に戻り、周辺チャネル２００ＬについてACLRが測定される（Ｓ３０）。周辺チャネル２００ＬについてのACLRの測定の手順を図７のフローチャートを参照して説明する。
【００５７】
まず、測定帯域の幅は３Ｗとする（Ｓ３０２）。そして、測定帯域の中心周波数をｆ１とする（Ｓ３０４）。ここまでは、掃引指示部３２が、キャリア周波数取得部３０からキャリアの周波数を取得し、適宜、ローカル信号の周波数を掃引する帯域を指示することにより行なえる。具体的には、周波数ｆ１、ｆ１Ｌ、ｆ２Ｌの成分を含む３Ｗの帯域から、中間周波数を減じれば、ローカル信号の周波数を掃引する帯域となる。
【００５８】
そして、減衰器１０の減衰の程度を、受信信号が混合器１４により歪まない程度とする。受信信号は、減衰器１０により減衰されてから、混合器１４により、ローカル発振器１２から出力されるローカル信号と混合される。このようにして、混合器１４から出力された信号を、可変アンプ１６、バンドパスフィルタ（BPF）１８、ログ変換器２０および検波器２２を介して、電力測定部２４が受け、電力を測定する。
【００５９】
測定結果は、測定電力識別部５０に送られる。また、掃引指示部３２から得たローカル信号の周波数から、（２）周波数ｆ１、ｆ１Ｌ、ｆ２Ｌの成分を含む３Ｗの帯域を測定しているということが、測定電力識別部５０により識別される。よって、電力測定部２４の測定結果P(ｆ１)は信号電力記録部５２ａに、電力測定部２４の測定結果P(f1Ｌ)、P(f2Ｌ)は漏洩電力記録部５２ｂに書き込まれる（Ｓ３０６）。
【００６０】
ACLR測定部５４は、信号電力測定手段の測定結果P(ｆ１)、漏洩電力測定手段の測定結果P(f1Ｌ)、P(f2Ｌ)および内部ノイズ測定手段の測定結果P(f1Ｌ)noise、P(f2Ｌ)noiseに基づき、隣接チャネル漏洩電力比を測定する（Ｓ３０８）。
【００６１】
具体的には、ACLRは、(P(f1Ｌ)−P(f1Ｌ)noise)／P(ｆ１)、(P(f2Ｌ)−P(f2Ｌ)noise)／P(ｆ１)となる。
【００６２】
第一の実施形態によれば、マルチキャリア信号１００の隣接チャネル漏洩電力比を測定するために、マルチキャリア信号１００の端部周波数ｆ１、ｆ４の成分の電力を測定すれば、マルチキャリア信号１００の他の周波数ｆ２、ｆ３の成分の電力の測定を行なわなくてすむので、隣接チャネル漏洩電力比の測定の労力を軽減できる。
【００６３】
しかも、第一の実施形態によれば、測定帯域が、端部周波数ｆ４あるいはｆ１、および、周辺チャネル２００Ｕあるいは周辺チャネル２００Ｌの周波数を含むので、一回の掃引で、信号電力測定および漏洩電力測定を行なうことができる。よって、隣接チャネル漏洩電力比の測定を短時間に行なうことができる。
【００６４】
さらに、第一の実施形態によれば、周辺チャネル２００Ｕおよび周辺チャネル２００Ｌにおける内部ノイズ電力を測定し、漏洩電力の測定結果から減じるため、隣接チャネル漏洩電力比の測定をより正確に行なうことができる。
【００６５】
第二の実施形態
第二の実施形態は、測定帯域が第一の実施形態と異なる。
【００６６】
第二の実施形態にかかる信号測定装置１の構成は、第一の実施形態（図１参照）と同様である。以下、同じ部分は同一の番号を付して説明を省略する。
【００６７】
信号測定装置１は、減衰器（アッテネータ）１０、ローカル発振器１２、混合器（ダウンコンバータ）１４、可変アンプ１６、バンドパスフィルタ（BPF）１８、ログ変換器２０、検波器２２、電力測定部２４、キャリア周波数取得部３０、掃引指示部３２、表示部４０、測定電力識別部５０、信号電力記録部５２ａ、漏洩電力記録部５２ｂ、内部ノイズ記録部５２ｃおよびACLR測定部５４を備える。
【００６８】
減衰器（アッテネータ）１０、ローカル発振器１２、混合器（ダウンコンバータ）１４、バンドパスフィルタ（BPF）１８、ログ変換器２０、検波器２２、電力測定部２４およびキャリア周波数取得部３０は第一の実施形態と同様であり説明を省略する。
【００６９】
掃引指示部３２は、ローカル信号の周波数を、所定の帯域内において掃引する。所定の帯域とは、受信信号（ＲＦ信号）が、周波数ｆ４、ｆ１Ｕ、ｆ２Ｕのいずれか一つの成分を含むＷの帯域、および周波数ｆ１、ｆ１Ｌ、ｆ２Ｌのいずれか一つの成分を含むＷの帯域の内にあるときに、受信信号（ＲＦ信号）とローカル信号の周波数との差分が一定の中間周波数となるような帯域である。具体的には、周波数ｆ４、ｆ１Ｕ、ｆ２Ｕのいずれか一つの成分を含むＷの帯域、および周波数ｆ１、ｆ１Ｌ、ｆ２Ｌのいずれか一つの成分を含むＷの帯域から一定の中間周波数を引いた帯域を、所定の帯域とすればよい。このようにローカル信号の周波数を掃引することにより、周波数ｆ４、ｆ１Ｕ、ｆ２Ｕのいずれか一つの成分を含むＷの帯域内の受信信号、および周波数ｆ１、ｆ１Ｌ、ｆ２Ｌのいずれか一つの成分を含むＷの帯域内の受信信号の測定が可能である。
【００７０】
すなわち、（１１−１）周波数ｆ４の成分を含むＷの帯域（中心周波数ｆ４）、（１１−２）周波数ｆ１Ｕの成分を含むＷの帯域（中心周波数ｆ１Ｕ）、（１１−３）周波数ｆ２Ｕの成分を含むＷの帯域（中心周波数ｆ２Ｕ）、（１２−１）周波数ｆ１の成分を含むＷの帯域（中心周波数ｆ１）、（１２−２）周波数ｆ１Ｌの成分を含むＷの帯域（中心周波数ｆ１Ｌ）、（１２−３）周波数ｆ２Ｌの成分を含むＷの帯域（中心周波数ｆ２Ｌ）、が測定可能な信号の帯域である測定帯域となる。測定帯域は、上記のように、ローカル信号の周波数を掃引する帯域により設定可能である。なお、測定帯域は、端部周波数（ｆ４またはｆ１）を含むか（（１１−１）、（１２−１））、あるいは、周辺チャネル２００Ｕ、２００Ｌの周波数（ｆ１Ｕ、ｆ２Ｕ、ｆ１Ｌ、ｆ２Ｌ）を含む（（１１−２）、（１１−３）、（１２−２）、（１２−３））。
【００７１】
表示部４０は、電力測定部２４の測定結果を、周波数と対応付けて表示する。表示部４０の表示内容の一例を図８および図９に示す。図８（ａ）は、（１１−１）周波数ｆ４の成分を含むＷの帯域を測定した場合の電力の測定結果を示す。図８（ｂ）は、（１１−２）周波数ｆ１Ｕの成分を含むＷの帯域を測定した場合の電力の測定結果を示す。図８（ｃ）は、（１１−３）周波数ｆ１Ｕの成分を含むＷの帯域を測定した場合の電力の測定結果を示す。図９（ａ）は、（１２−１）周波数ｆ１の成分を含むＷの帯域を測定した場合の電力の測定結果を示す。図９（ｂ）は、（１２−２）周波数ｆ１Ｌの成分を含むＷの帯域を測定した場合の電力の測定結果を示す。図９（ｃ）は、（１２−３）周波数ｆ１Ｌの成分を含むＷの帯域を測定した場合の電力の測定結果を示す。
【００７２】
なお、周辺チャネル２００Ｕ、２００Ｌの成分の電力の測定結果には、信号測定装置１内部のノイズが含まれている。また、周辺チャネル２００Ｕ、２００Ｌの成分の電力の真の値は、内部のノイズと同程度のレベルである。よって、周辺チャネル２００Ｕ、２００Ｌの成分の電力の測定結果から、信号測定装置１内部のノイズを減じることが、周辺チャネル２００Ｕ、２００Ｌの成分の電力の真の値を求めるためには好ましい。
【００７３】
信号測定装置１の内部ノイズは、減衰器１０の減衰の程度を、受信信号が混合器１４に全く入らない程度（例えば、100dB減衰させる）にすることで測定できる。ただし、測定帯域を、（１３−１）周波数ｆ１Ｕの成分を含むＷの帯域（中心周波数ｆ１Ｕ）、（１３−２）周波数ｆ２Ｕの成分を含むＷの帯域（中心周波数ｆ２Ｕ）、（１４−１）周波数ｆ１Ｌの成分を含むＷの帯域（中心周波数ｆ１Ｌ）、（１４−２）周波数ｆ２Ｌの成分を含むＷの帯域（中心周波数ｆ２Ｌ）とする。測定帯域は、ローカル信号の周波数を掃引する帯域を適宜、設定することにより設定できる。
【００７４】
内部ノイズの測定結果もあわせて表示した場合の表示部４０の表示内容の一例を図１０および図１１に示す。図１０（ａ）には、周波数ｆ１Ｕの成分の内部ノイズが表示されている。図１０（ｂ）には、周波数ｆ２Ｕの成分の内部ノイズが表示されている。図１１（ａ）には、周波数ｆ１Ｌの成分の内部ノイズが表示されている。図１１（ｂ）には、周波数ｆ２Ｌの成分の内部ノイズが表示されている。
【００７５】
測定電力識別部５０は、電力測定部２４の測定結果を受ける。しかも、測定電力識別部５０は、掃引指示部３２から、ローカル信号の周波数を取得する。これにより、測定電力識別部５０は、電力測定部２４の測定結果が、いずれの周波数成分に対応するかを識別する。なお、掃引指示部３２から受けたローカル信号の周波数に、中間周波数を加えれば、電力の測定対象となっている受信信号の周波数がわかる。
【００７６】
掃引指示部３２から得たローカル信号の周波数から、（１１−１）周波数ｆ４の成分を含むＷの帯域、（１１−２）周波数ｆ１Ｕの成分を含むＷの帯域、（１１−３）周波数ｆ２Ｕの成分を含むＷの帯域、（１２−１）周波数ｆ１の成分を含むＷの帯域、（１２−２）周波数ｆ１Ｌの成分を含むＷの帯域、（１２−３）周波数ｆ２Ｌの成分を含むＷの帯域を測定しているということが、測定電力識別部５０により識別されたとする。ここで、周波数ｆ４あるいはｆ１のチャネルを測定しているならば、電力測定部２４の測定結果が、マルチキャリア信号１００における端部周波数成分の電力に対応する。この場合、電力測定部２４の測定結果を、信号電力記録部５２ａに書き込む。あるいは、周波数ｆ１Ｕ、ｆ２Ｕ、ｆ１Ｌ、ｆ２Ｌのチャネルを測定しているならば、電力測定部２４の測定結果が、周辺チャネル２００Ｕあるいは周辺チャネル２００Ｌにおける信号の電力に対応する。この場合、電力測定部２４の測定結果を、漏洩電力記録部５２ｂに書き込む。
【００７７】
または、掃引指示部３２から得たローカル信号の周波数から、（１３−１）周波数ｆ１Ｕの成分を含むＷの帯域、（１３−２）周波数ｆ２Ｕの成分を含むＷの帯域、（１４−１）周波数ｆ１Ｌの成分を含むＷの帯域、（１４−２）周波数ｆ２Ｌの成分を含むＷの帯域を測定しているということが、測定電力識別部５０により識別されたとする。この場合、電力測定部２４の測定結果が、内部ノイズの電力に対応する。この場合、電力測定部２４の測定結果を、内部ノイズ記録部５２ｃに書き込む。
【００７８】
信号電力記録部５２ａ、漏洩電力記録部５２ｂ、内部ノイズ記録部５２ｃ、ACLR測定部５４は、第一の実施形態と同様であり説明を省略する。
【００７９】
なお、可変アンプ１６は、第一の実施形態と同様であるが、測定帯域を（１１−２）周波数ｆ１Ｕの成分を含むＷの帯域、（１１−３）周波数ｆ２Ｕの成分を含むＷの帯域、（１２−２）周波数ｆ１Ｌの成分を含むＷの帯域、（１２−３）周波数ｆ２Ｌの成分を含むＷの帯域としている場合は、ゲインを上げる。例えば、ゲインを20dBにする。
【００８０】
次に、第二の実施形態の動作を説明する。
【００８１】
第二の実施形態の動作は第一の実施形態（図５参照）と同様である。まず、キャリア周波数取得部３０が、マルチキャリア信号１００の４キャリアの周波数ｆ１、ｆ２、ｆ３、ｆ４を取得する（Ｓ１０）。
【００８２】
次に、掃引指示部３２によりローカル信号の周波数を掃引する帯域を指示して、（１３−１）周波数ｆ１Ｕの成分を含むＷの帯域、（１３−２）周波数ｆ２Ｕの成分を含むＷの帯域、（１４−１）周波数ｆ１Ｌの成分を含むＷの帯域、（１４−２）周波数ｆ２Ｌの成分を含むＷの帯域を、測定帯域とする。そして、減衰器１０の減衰の程度を、受信信号が混合器１４に全く入らない程度（例えば、100dB減衰させる）とする。このようにして、混合器１４から出力された信号を、可変アンプ１６、バンドパスフィルタ（BPF）１８、ログ変換器２０および検波器２２を介して、電力測定部２４が受け、電力を測定する。測定結果は、測定電力識別部５０に送られる。また、掃引指示部３２から得たローカル信号の周波数から、（１３−１）周波数ｆ１Ｕの成分を含むＷの帯域、（１３−２）周波数ｆ２Ｕの成分を含むＷの帯域、（１４−１）周波数ｆ１Ｌの成分を含むＷの帯域、（１４−２）周波数ｆ２Ｌの成分を含むＷの帯域を測定しているということが、測定電力識別部５０により識別される。よって、電力測定部２４の測定結果P(f1U)noise、P(f2U)noise、P(f1L)noise、P(f2L)noiseは、内部ノイズ記録部５２ｃに書き込まれる（Ｓ１２）。
【００８３】
次に、周辺チャネル２００ＵについてACLRが測定される（Ｓ２０）。周辺チャネル２００ＵについてのACLRの測定の手順を図１２のフローチャートを参照して説明する。
【００８４】
まず、測定帯域の幅はＷとする（Ｓ２１２）。そして、測定帯域の中心周波数をｆ４とする（Ｓ２１４）。ここまでは、掃引指示部３２が、キャリア周波数取得部３０からキャリアの周波数を取得し、適宜、ローカル信号の周波数を掃引する帯域を指示することにより行なえる。具体的には、周波数ｆ４の成分を含むＷの帯域から、中間周波数を減じれば、ローカル信号の周波数を掃引する帯域となる。
【００８５】
そして、減衰器１０の減衰の程度を、受信信号が混合器１４により歪まない程度とする。受信信号は、減衰器１０により減衰されてから、混合器１４により、ローカル発振器１２から出力されるローカル信号と混合される。このようにして、混合器１４から出力された信号を、可変アンプ１６、バンドパスフィルタ（BPF）１８、ログ変換器２０および検波器２２を介して、電力測定部２４が受け、電力を測定する。
【００８６】
測定結果は、測定電力識別部５０に送られる。また、掃引指示部３２から得たローカル信号の周波数から、（１１−１）周波数ｆ４の成分を含むＷの帯域を測定しているということが、測定電力識別部５０により識別される。よって、電力測定部２４の測定結果P(f4)は信号電力記録部５２ａに書き込まれる（Ｓ２１６）。
【００８７】
次に、掃引指示部３２が、測定帯域の中心周波数をｆ１Ｕとする（Ｓ２１８）。受信信号は、減衰器１０により減衰されてから、混合器１４により、ローカル発振器１２から出力されるローカル信号と混合される。このようにして、混合器１４から出力された信号を、可変アンプ１６（ゲインを上げておく）、バンドパスフィルタ（BPF）１８、ログ変換器２０および検波器２２を介して、電力測定部２４が受け、電力を測定する。
【００８８】
測定結果は、測定電力識別部５０に送られる。また、掃引指示部３２から得たローカル信号の周波数から、（１１−２）周波数ｆ１Ｕの成分を含むＷの帯域を測定しているということが、測定電力識別部５０により識別される。よって、電力測定部２４の測定結果P(f1U)は漏洩電力記録部５２ｂに書き込まれる（Ｓ２２０）。
【００８９】
次に、掃引指示部３２が、測定帯域の中心周波数をｆ２Ｕとする（Ｓ２２２）。受信信号は、減衰器１０により減衰されてから、混合器１４により、ローカル発振器１２から出力されるローカル信号と混合される。このようにして、混合器１４から出力された信号を、可変アンプ１６（ゲインを上げておく）、バンドパスフィルタ（BPF）１８、ログ変換器２０および検波器２２を介して、電力測定部２４が受け、電力を測定する。
【００９０】
測定結果は、測定電力識別部５０に送られる。また、掃引指示部３２から得たローカル信号の周波数から、（１１−３）周波数ｆ２Ｕの成分を含むＷの帯域を測定しているということが、測定電力識別部５０により識別される。よって、電力測定部２４の測定結果P(f2U)は漏洩電力記録部５２ｂに書き込まれる（Ｓ２２４）。
【００９１】
ACLR測定部５４は、信号電力測定手段の測定結果P(f4)、漏洩電力測定手段の測定結果P(f1U)、P(f2U)および内部ノイズ測定手段の測定結果P(f1U)noise、P(f2U)noiseに基づき、隣接チャネル漏洩電力比を測定する（Ｓ２２６）。
【００９２】
具体的には、ACLRは、(P(f1U)−P(f1U)noise)／P(f4)、(P(f2U)−P(f2U)noise)／P(f4)となる。
【００９３】
次に、図５に戻り、周辺チャネル２００ＬについてACLRが測定される（Ｓ３０）。周辺チャネル２００ＬについてのACLRの測定の手順を図１３のフローチャートを参照して説明する。
【００９４】
まず、測定帯域の幅はＷとする（Ｓ３１２）。そして、測定帯域の中心周波数をｆ１とする（Ｓ３１４）。ここまでは、掃引指示部３２が、キャリア周波数取得部３０からキャリアの周波数を取得し、適宜、ローカル信号の周波数を掃引する帯域を指示することにより行なえる。具体的には、周波数ｆ１の成分を含むＷの帯域から、中間周波数を減じれば、ローカル信号の周波数を掃引する帯域となる。
【００９５】
そして、減衰器１０の減衰の程度を、受信信号が混合器１４により歪まない程度とする。受信信号は、減衰器１０により減衰されてから、混合器１４により、ローカル発振器１２から出力されるローカル信号と混合される。このようにして、混合器１４から出力された信号を、可変アンプ１６、バンドパスフィルタ（BPF）１８、ログ変換器２０および検波器２２を介して、電力測定部２４が受け、電力を測定する。
【００９６】
測定結果は、測定電力識別部５０に送られる。また、掃引指示部３２から得たローカル信号の周波数から、（１２−１）周波数ｆ１の成分を含むＷの帯域を測定しているということが、測定電力識別部５０により識別される。よって、電力測定部２４の測定結果P(f1)は信号電力記録部５２ａに書き込まれる（Ｓ３１６）。
【００９７】
次に、掃引指示部３２が、測定帯域の中心周波数をｆ１Ｌとする（Ｓ３１８）。受信信号は、減衰器１０により減衰されてから、混合器１４により、ローカル発振器１２から出力されるローカル信号と混合される。このようにして、混合器１４から出力された信号を、可変アンプ１６（ゲインを上げておく）、バンドパスフィルタ（BPF）１８、ログ変換器２０および検波器２２を介して、電力測定部２４が受け、電力を測定する。
【００９８】
測定結果は、測定電力識別部５０に送られる。また、掃引指示部３２から得たローカル信号の周波数から、（１２−２）周波数ｆ１Ｌの成分を含むＷの帯域を測定しているということが、測定電力識別部５０により識別される。よって、電力測定部２４の測定結果P(f1L)は漏洩電力記録部５２ｂに書き込まれる（Ｓ３２０）。
【００９９】
次に、掃引指示部３２が、測定帯域の中心周波数をｆ２Ｌとする（Ｓ３２２）。受信信号は、減衰器１０により減衰されてから、混合器１４により、ローカル発振器１２から出力されるローカル信号と混合される。このようにして、混合器１４から出力された信号を、可変アンプ１６（ゲインを上げておく）、バンドパスフィルタ（BPF）１８、ログ変換器２０および検波器２２を介して、電力測定部２４が受け、電力を測定する。
【０１００】
測定結果は、測定電力識別部５０に送られる。また、掃引指示部３２から得たローカル信号の周波数から、（１２−３）周波数ｆ２Ｌの成分を含むＷの帯域を測定しているということが、測定電力識別部５０により識別される。よって、電力測定部２４の測定結果P(f2L)は漏洩電力記録部５２ｂに書き込まれる（Ｓ３２４）。
【０１０１】
ACLR測定部５４は、信号電力測定手段の測定結果P(f1)、漏洩電力測定手段の測定結果P(f1L)、P(f2L)および内部ノイズ測定手段の測定結果P(f1L)noise、P(f2L)noiseに基づき、隣接チャネル漏洩電力比を測定する（Ｓ３２６）。
【０１０２】
具体的には、ACLRは、(P(f1L)−P(f1L)noise)／P(f1)、(P(f2L)−P(f2L)noise)／P(f1)となる。
【０１０３】
第二の実施形態によれば、マルチキャリア信号１００の隣接チャネル漏洩電力比を測定するために、マルチキャリア信号１００の端部周波数ｆ１、ｆ４の成分の電力を測定すれば、マルチキャリア信号１００の他の周波数ｆ２、ｆ３の成分の電力の測定を行なわなくてすむので、隣接チャネル漏洩電力比の測定の労力を軽減できる。
【０１０４】
しかも、第二の実施形態によれば、測定帯域が、周辺チャネル２００Ｕあるいは周辺チャネル２００Ｌの周波数を含むときに、可変アンプ１６のゲインを上げておくため、漏洩電力測定を精度良く行なうことができる。よって、隣接チャネル漏洩電力比の測定を精度良く行なうことができる。
【０１０５】
さらに、第二の実施形態によれば、周辺チャネル２００Ｕおよび周辺チャネル２００Ｌにおける内部ノイズ電力を測定し、漏洩電力の測定結果から減じるため、隣接チャネル漏洩電力比の測定をより正確に行なうことができる。
【０１０６】
また、上記の実施形態は、以下のようにして実現できる。ＣＰＵ、ハードディスク、メディア（フロッピー（登録商標）ディスク、ＣＤ−ＲＯＭなど）読み取り装置を備えたコンピュータのメディア読み取り装置に、上記の各部分（例えばキャリア周波数取得部３０、掃引指示部３２、測定電力識別部５０、信号電力記録部５２ａ、漏洩電力記録部５２ｂ、内部ノイズ記録部５２ｃおよびACLR測定部５４）を実現するプログラムを記録したメディアを読み取らせて、ハードディスクにインストールする。このような方法でも、上記の実施形態を実現できる。
【図面の簡単な説明】
【０１０７】
【図１】第一の実施形態にかかる信号測定装置（スペクトラムアナライザ）１の構成を示すブロック図である。
【図２】第一の実施形態にかかる受信信号の一例を示す図である。
【図３】第一の実施形態にかかる表示部４０の表示内容の一例を示す図である。
【図４】第一の実施形態にかかる内部ノイズの測定結果もあわせて表示した場合の表示部４０の表示内容の一例を示す図である。
【図５】第一の実施形態にかかる信号測定装置１の動作を示すフローチャートである。
【図６】第一の実施形態にかかる周辺チャネル２００ＵについてのACLRの測定の手順を示すフローチャートである。
【図７】第一の実施形態にかかる周辺チャネル２００ＬについてのACLRの測定の手順を示すフローチャートである。
【図８】第二の実施形態にかかる表示部４０の表示内容の一例を示す図である。
【図９】第二の実施形態にかかる表示部４０の表示内容のさらなる一例を示す図である。
【図１０】第二の実施形態にかかる周辺チャネル２００Ｕについての内部ノイズの測定結果もあわせて表示した場合の表示部４０の表示内容の一例を示す図である。
【図１１】第二の実施形態にかかる周辺チャネル２００Ｌについての内部ノイズの測定結果もあわせて表示した場合の表示部４０の表示内容の一例を示す図である。
【図１２】第二の実施形態にかかる周辺チャネル２００ＵについてのACLRの測定の手順を示すフローチャートである。
【図１３】第二の実施形態にかかる周辺チャネル２００ＬについてのACLRの測定の手順を示すフローチャートである。
【符号の説明】
【０１０８】
１  信号測定装置
１０  減衰器（アッテネータ）
１２  ローカル発振器
１４  混合器（ダウンコンバータ）
１６  可変アンプ
１８  バンドパスフィルタ（BPF）
２０  ログ変換器
２２  検波器
２４  電力測定部
３０  キャリア周波数取得部
３２  掃引指示部
４０  表示部
５０  測定電力識別部
５２ａ  信号電力記録部
５２ｂ  漏洩電力記録部
５２ｃ  内部ノイズ記録部
５４  ACLR測定部
１００  マルチキャリア信号
２００Ｕ、２００Ｌ  周辺チャネル
【図１】
2005303671.tif 000003
【図２】
2005303671.tif 000004
【図３】
2005303671.tif 000005
【図４】
2005303671.tif 000006
【図５】
2005303671.tif 000007
【図６】
2005303671.tif 000008
【図７】
2005303671.tif 000009
【図８】
2005303671.tif 000010
【図９】
2005303671.tif 000011
【図１０】
2005303671.tif 000012
【図１１】
2005303671.tif 000013
【図１２】
2005303671.tif 000014
【図１３】
2005303671.tif 000015